【事件の表示】
　特願２０１６−６６６４７号「遊技機」拒絶査定不服審判事件〔平成２９年１０月５日出願公開、特開２０１７−１７６３６９号〕について、次のとおり審決する。
【結　論】
　本件審判の請求は、成り立たない。
【理　由】
第１　手続の経緯
　本願は、平成２８年３月２９日の出願であって、平成３１年４月１８日付けで拒絶の理由が通知され、令和１年６月１８日に意見書及び手続補正書が提出され、同年１１月１８日付けで最後の拒絶の理由が通知され、同年１１月２５日に意見書と２通の手続補正書が提出されたところ、令和２年４月２日付け（送達日：同年同月６日）で令和１年１１月２５日付け手続補正がいずれも却下されるとともに拒絶査定がなされ、それに対して、令和２年４月８日に拒絶査定不服審判の請求がなされると同時に手続補正書が提出され、これに対し、当審において、同年１２月２３日付けで拒絶の理由（以下、「当審拒絶理由」という。）が通知され、令和３年２月９日に意見書及び手続補正書が提出されたものである。
第２　本願発明
　本願の請求項１に係る発明（以下、「本願発明」という。）は、令和３年２月９日付けの手続補正（以下、「本件補正」という。）により補正された特許請求の範囲の請求項１に記載の事項により特定されるとおりのものであると認められ、分説し、ＡないしＪの符号を付与すると、次のとおりのものである。
「【請求項１】
Ａ　外周面に複数種類の図柄が配置された複数の回胴と、
Ｂ　遊技毎に役を内部抽選する役抽選手段と、
Ｃ　遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
Ｄ　前記遊技には通常遊技と該通常遊技より有利な有利遊技があり、前記役抽選手段の内部抽選結果に基づいて、該有利遊技に移行させるか否かを決定する決定手段と、
を具備し、
Ｅ　前記有利遊技には疑似ボーナスがあり、該疑似ボーナスは前記役抽選手段によって内部抽選される役ではなく、前記決定手段が該疑似ボーナスに移行させることを決定したことを契機に当選フラグが立ち、
Ｆ　前記疑似ボーナスは、複数の種類があり、その種類に応じて疑似ボーナスの当選フラグを立ち、
Ｇ　前記役抽選手段がボーナス役を当選させて、該ボーナス役が内部当選中に、前記図柄表示制御手段が複数の回胴を停止させて表示させることが可能な複数のリーチ目があり、
Ｈ　前記図柄表示制御手段は、前記決定手段の決定結果に応じて、前記回胴を停止させる為の制御を変更すると共に、前記有利遊技に移行させることが決定され、前記疑似ボーナスの当選フラグが立っている場合に、前記役抽選手段が内部抽選で不当選となったとき、複数の回胴を停止させて、複数のリーチ目の中の１つのリーチ目を表示させることが可能であり、
Ｉ　前記有利遊技の当選の有無、または当選した前記有利遊技の種類に応じて、前記図柄表示制御手段は、リールの図柄停止制御を変更可能なこと、
Ｊ　を特徴とする遊技機。」
第３　当審拒絶理由の概要
　当審拒絶理由は、以下のとおりのものである。
　本件補正前の請求項１に係る発明は、本願の出願前に日本国内において頒布された下記の引用文献１及び引用文献２に記載された発明に基いて、その出願前にその発明の属する技術の分野における通常の知識を有する者（以下、「当業者」という。）が容易に発明をすることができたものであるから、特許法第２９条第２項の規定により特許を受けることができない。
　　　　　　　　　　　　　　　　　　記
引用文献１：「ドロンジョにおまかせ」，パチスロ必勝ガイド攻略年鑑　２００４　第７巻第２号，株式会社白夜書房パチスロ必勝ガイドＭＡＸ２００３年９月号，株式会社白夜書房，２００４年２月１日発行，Ｐ．１０−１９
引用文献２：「ドロンジョにおまかせ」，パチスロ必勝ガイドＭＡＸ２００３年９月号，株式会社白夜書房，２００３年９月１日発行，Ｐ．４−１１
第４　当審拒絶理由の検討
１　引用文献及び引用発明
（１）　引用文献１の記載事項、認定事項及び引用発明
　当審における拒絶理由に引用文献１として引用され、本願出願前に頒布された「ドロンジョにおまかせ」，パチスロ必勝ガイド攻略年鑑　２００４　第７巻第２号，株式会社白夜書房パチスロ必勝ガイドＭＡＸ２００３年９月号，株式会社白夜書房，２００４年２月１日発行，Ｐ．１０−１９の記載事項、及び、当該記載事項より認定できる事項は、以下のとおりである（下線は引用発明等の認定に関連する箇所を明示するために合議体が付した。以下同様。）。
ア　Ｐ．１０右上に掲載されたパチスロ機「ドロンジョにおまかせ」の正面図 
　上記した
パチスロ機「ドロンジョにおまかせ」
　パチスロ機「ドロンジョにおまかせ」は、横に３列並んだ図柄を遊技者が視認可能な窓が設けられ、その下に、スタートレバーと
３個のボタンを備え
　そして、パチスロ機の技術常識を参酌すると、横に３列並んだ図柄は、
外周面に複数種類の図柄が配置された３つのリール
３個のボタンは、それぞれ、
３つのリールに対応しており、
ボタンを操作することによって、それぞれのリールが停止する
リール制御を行う手段
イ　Ｐ．１０上部に掲載された「基本スペック表」、「各役払い出し表」の欄
　上記した「各役払い出し表」の欄を参照すると、パチスロ機「ドロンジョにおまかせ」には、最上段にＢＩＧ　ＢＯＮＵＳである「赤７」、２段目にスーパードロンボーナスである「青７」、右下側に５枚役である「ベル」、２枚役である「チェリー」等の役が存在することが示されており、複数の役が設定されていることが見て取れる。
　そして、パチスロ機の技術常識を参酌すると、上記の複数の役が、内部抽選により決定されることは当業者にとって明らかであり、パチスロ機「ドロンジョにおまかせ」は
役の内部抽選を行う抽選手段を備え
ウ　Ｐ．１０下部右側に掲載された「３種のボーナスを搭載」の欄 
　上記した「３種のボーナスを搭載」の欄において、「レギュラー非搭載の爆裂仕様・ＡＴマシン！！」のタイトル以降に、以下の記載がある。
「２００３年、最大のヒットと言って過言ではない平和の『ドロンジョにおまかせ』。
　まずは基本スペックを確認しよう。本機はレギューラーボーナスを搭載していないＡタイプ。赤７揃いでスタートするビッグボーナスの他に２種類のＡＴ機能を搭載している。各
ＡＴ
ドロンボーナス（ＤＢ）
スーパードロンボーナス（ＳＤＢ）
ドロンボー絵柄が揃うとＤＢ
青７が揃った場合はＳＤＢ
絵柄を揃えて初めて発動
エ　Ｐ．１０下部左側に掲載された「ビッグ＆２種類のＡＴ」の欄
 
　上記した「ビッグ＆２種類のＡＴ」の欄の記載より、パチスロ機「ドロンジョにおまかせ」は、３種のボーナスとして、
「平均獲得枚数が４０２．００枚の「ビッグボーナス」、平均獲得枚数が４５９．８８枚の「スーパードロンボーナス（ＳＤＢ）」、平均獲得枚数が１１４．９７枚の「ドロンボーナス（ＤＢ）」の３種のボーナスの状態
　また、パチスロ機の技術常識を参酌すると、遊技の状態のうち、ボーナスの状態が
遊技者に有利な遊技状態である
遊技の状態として、通常の状態
オ　Ｐ．１１上部右側に掲載された「ボーナスが揃うまでの流れ」の欄
　上記した「ボーナスが揃うまでの流れ」の欄において、「液晶演出の連続発生がボーナス告知の前兆！！」のタイトル以降に、以下の記載がある。
「３種類のボーナスのうち、ビッグに関しては当然のことながら毎ゲーム抽選されているのだが、
ＡＴは「純ハズレ成立時にのみ抽選」
　
抽選をクリアして見事ビッグやＡＴを引き当てた場合
　上記の記載より、「純ハズレ成立時」に、「ＡＴ抽選」が行われていることが読み取れることから、
ＡＴにするか否かの抽選であるＡＴ抽選は、純ハズレ成立時に行われ
ＡＴ抽選手段
を有
　また、「抽選をクリアして見事」「ＡＴを引き当てた場合」とは、
ＡＴ抽選において
ＡＴに当選
カ　Ｐ．１１上部左側に掲載された「ボーナスは告知後に揃えられる」の欄
　上記した「ボーナスが揃うまでの流れ」の左側部分に記載された「ボーナスは告知後に揃えられる」の欄を参照すると、当該欄において、「ビッグｏｒＡＴ（ＳＤＢ・ＤＢ）に当選」と記載された部分を起点とした矢印が「確定系の演出が出現」の部分に伸ばされ、「確定系の演出が出現」の部分を起点とする矢印が、「ビッグやＡＴが揃う状態になる」と記載された部分に伸ばされている。
　そして、「確定系の演出が出ないとビッグｏｒＡＴともに揃えられない」と記載され、さらに「最終的に「確定告知」が出ればボーナス絵柄を揃えられる。」と記載されている。
　ここにおいて、「ビッグｏｒＡＴともに揃えられない」状態と、「ビッグやＡＴが揃う状態」が、リール制御を変更することによって実現されていることは、パチスロ機の技術常識を参酌すれば当業者にとって明らかである。
　してみると、上記の欄の記載及び上記ウの記載より、ＡＴ（
スーパードロンボーナス、又は、ドロンボーナス
に当選した場合に、確定系の演出が出現し、青７又はドロンボー絵柄が揃えられるようにリール制御
変更
キ　Ｐ．１１下部に掲載された「ＤＤＴ打法でボーナスを迅速に察知」の欄」の「ビッグｏｒＡＴ当選時に出現する出目」の欄
　上記した「ビッグｏｒＡＴ当選時に出現する出目」として、右側の図において、リーチ目が選択率１／１０で出現することが記載されていることから、
ビッグボーナス
スーパードロンボーナス（ＳＤＢ）、ドロンボーナス（ＤＢ）のいずれかのボーナスに当選すると、リーチ目が出現し得る
ク　Ｐ．１５下部に掲載された「ビッグ中の強ハズレ」の欄
　上記した「ビッグ中の強ハズレ」の欄には、「純ハズレの約２４０分の１が「強ハズレ」となり、これを引くとリーチ目が停止→ビッグ後は必ずＡＴの連チャン状態に突入する。・・・」と記載されている。
　上記の記載より、
強ハズレ
役の内部抽選で不当選となった複数種類のハズレのうちの一つ
リーチ目
強ハズレの場合に停止する
　上記アないしクに示した事項より、引用文献１には、以下の発明（以下、「引用発明」という。）が記載されていると認められる。なお、ａないしｊの符号は、本願発明の構成ＡないしＪに対応させて当審にて付与した。
「ａ　外周面に複数種類の図柄が配置された３つのリールを有し（ア）、
ｂ　役の内部抽選を行う抽選手段を備え（イ）、
ｃ　３個のボタンを備えているとともに、リール制御を行う手段を備え、３個のボタンは、それぞれ、３つのリールに対応しており、ボタンを操作することによって、それぞれのリールが停止するように構成されており（ア）、 
ｄ　遊技の状態として、通常の状態と、遊技者に有利な遊技状態である平均獲得枚数が４０２．００枚のビッグボーナス、平均獲得枚数が４５９．８８枚のスーパードロンボーナス、平均獲得枚数が１１４．９７枚のドロンボーナスの状態があり（エ）、
ｅ、ｆ　スーパードロンボーナス（ＳＤＢ）及びドロンボーナス（ＤＢ）は、ＡＴであり（ウ）、ＡＴにするか否かの抽選であるＡＴ抽選は、ＡＴ抽選手段により純ハズレ成立時に行われ、ＡＴ抽選においてＡＴに当選し（オ）、スーパードロンボーナス（ＳＤＢ）は青７が揃った場合に発動するように、ドロンボーナス（ＤＢ）はドロンボー絵柄が揃った場合に発動するように構成され（ウ）、
ｇ　ビッグボーナス、スーパードロンボーナス（ＳＤＢ）、ドロンボーナス（ＤＢ）のいずれかのボーナスに当選すると、リーチ目が出現し得るものであり（キ）、
ｈ、ｉ　スーパードロンボーナス（ＳＤＢ）、又は、ドロンボーナス（ＤＢ）に当選した場合に、確定系の演出が出現し（カ）、リール制御を行う手段は、確定系の演出が出現すると、青７、又は、ドロンボー絵柄が揃えられるようにリール制御を変更し（カ）、役の内部抽選で不当選となった複数種類のハズレの一つである強ハズレの場合に、リーチ目が停止する（ク）、
ｊ　パチスロ機「ドロンジョにおまかせ」（ア）。」
（２）　引用文献２の記載事項及び認定事項
　当審における拒絶理由に引用文献２として引用され、本願出願前に頒布された「ドロンジョにおまかせ」，パチスロ必勝ガイドＭＡＸ２００３年９月号，株式会社白夜書房，２００３年９月１日発行，Ｐ．４−１１の記載事項、及び、当該記載事項より認定できる事項は、以下のとおりである
ア　Ｐ．９右上部の「フラグ成立を察知するまでの道程！！」の欄
　上記した「フラグ成立を察知するまでの道程！！」の欄には、「ボーナスフラグ（ビッグｏｒＳＤＢｏｒＤＢ）に当選」と記載され、当該欄のタイトルが「フラグ成立を察知するまでの道程！！」とされていることから、ビッグボーナス、ＳＤＢ、ＤＢに当選すると、ボーナスフラグが立てられると認められ、「ボーナスフラグ（ビッグｏｒＳＤＢｏｒＤＢ）に当選」した場合において、右側に「リーチ目が出現」と記載されていることから、リーチ目が出現し得るようになるものと認められる。
　以上のことから、引用文献２には、「ビッグボーナス、ＳＤＢ又はＤＢに当選すると、ボーナスフラグが立てられ、リーチ目が出現し得るようになる点。」（以下、「引用文献２記載事項１」という。）が記載されていると認められる。
イ　Ｐ．９の左下部分の「ＤＤＴ打法使用時の重要出目」の欄
　上記した「ＤＤＴ打法使用時の重要出目」の欄には、リーチ目として、５種類の出目が記載されており、そのリーチ目は、上記（２）アに示した「フラグ成立を察知するまでの道程！！」の欄において、「ボーナスフラグ（ビッグｏｒＳＤＢｏｒＤＢ）に当選」した場合に出現するものであるから、上記の５種類のリーチ目は、「ボーナスフラグ（ビッグｏｒＳＤＢｏｒＤＢ）に当選」した場合に出現し得るリーチ目の例であると認められる。　したがって、リーチ目として、複数種類の出目が設定されており、「ボーナスフラグ（ビッグｏｒＳＤＢｏｒＤＢ）に当選」した場合に、それらのうちの１つのリーチ目が出現するものと認められる。
　以上のことから、引用文献２には、「ビッグボーナス、ＳＤＢ又はＤＢに当選した場合に出現するリーチ目には複数種類の出目が設定され、ビッグボーナス、ＳＤＢ又はＤＢに当選した場合には、それらのうちの１つのリーチ目が出現する点。」（以下、「引用文献２記載事項２」という。）が記載されていると認められる。
２　対比
　本願発明と引用発明とを対比する。なお、（ａ）ないし（ｊ）の符号は、本願発明の構成ＡないしＪに対応させて合議体により付与した。
（ａ）　本願発明の構成Ａについて
　引用発明の構成ａにおける「外周面に複数種類の図柄が配置された３つのリール」は、本願発明の「外周面に複数種類の図柄が配置された複数の回胴」に相当する。
　よって、引用発明は、本願発明の構成Ａに相当する構成を有する。
（ｂ）　本願発明の構成Ｂについて
　引用発明の構成ｂにおける「役の内部抽選を行う抽選手段」は、遊技毎に役の内部抽選を行うことは、パチスロ機の技術常識を考慮すると明らかであるから、本願発明の構成の構成Ｂにおける「遊技毎に役を内部抽選する役抽選手段」に相当する。
　よって、引用発明は、本願発明の構成Ｂに相当する構成を有する。
（ｃ）　本願発明の構成Ｃについて
　引用発明の構成ｃにおける「それぞれ、３つのリールに対応」する「３個のボタン」は、本願発明の構成Ｃにおける「各々の回胴に対応して設けられた停止スイッチ」に相当する。
　また、引用発明の構成ｃにおける「ボタンを操作することによって、それぞれのリールが停止する」ことは、本願発明の構成Ｃにおける「停止スイッチの操作を受け付けて、対応する回胴を個々に停止させ」ることに相当する。
　そして、引用発明の構成ｃにおける「リール制御を行う手段」は、パチスロ機の技術常識を参酌すると、構成ｂにおける「抽選手段」の「役の内部抽選」の結果に基づいて図柄を表示させるものであることは明らかであるから、本願発明の構成Ｃにおける「内部抽選の結果に応じて図柄を表示する図柄表示制御手段」に相当する。
　また、引用発明の構成ｃにおける「リール制御を行う手段」が、遊技毎に複数の回胴を回転させるものであることは、パチスロ機の技術常識である。
　したがって、引用発明の構成ｃにおける「それぞれ、３つのリールに対応」する「３個のボタン」「を操作することによって、それぞれのリール」を「停止」させ、「抽選手段」の「役の内部抽選」の結果に基づいて図柄を表示させる「リール制御を行う手段」は、本願発明の構成Ｃにおける「遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段」に相当する。
　よって、引用発明は、本願発明の構成Ｃに相当する構成を有する。
（ｄ）　本願発明の構成Ｄについて
　引用発明の構成ｄにおける「遊技の状態」のうち、「通常の状態」は、本願発明の構成Ｄにおける「通常遊技」に相当する。
　引用発明の構成ｄにおける「遊技者に有利な遊技状態である平均獲得枚数が４０２．００枚のビッグボーナス、平均獲得枚数が４５９．８８枚のスーパードロンボーナス（ＳＤＢ）、平均獲得枚数が１１４．９７枚のドロンボーナス（ＤＢ）の状態」は、本願発明の構成Ｄにおける「通常遊技より有利な有利遊技」に相当する。
　また、引用発明の構成ｅ、ｆにおける「純ハズレ成立時に行われ」る「ＡＴにするか否かの抽選であるＡＴ抽選」は、「純ハズレ」が、役の内部抽選で不当選となったハズレを意味することは、パチスロ機の技術分野における技術常識であるから、構成ｂにおける「抽選手段」による「役の内部抽選」に基づくものである。
　そして、引用発明の構成ｅ、ｆにおける「ＡＴであ」る「スーパードロンボーナス（ＳＤＢ）及びドロンボーナス（ＤＢ）」は「通常遊技より有利な有利遊技」であり、「ＡＴ抽選手段」により「ＡＴにするか否か」が抽選されるものである。
　してみると、引用発明の構成ｅ、ｆにおける「純ハズレ成立時に」、「ＡＴであ」る「スーパードロンボーナス（ＳＤＢ）及びドロンボーナス（ＤＢ）」「にするか否か」を「抽選」する「ＡＴ抽選手段」は、本願発明の構成Ｄにおける「前記役抽選手段の内部抽選結果に基づいて、該有利遊技に移行させるか否かを決定する決定手段」に相当する。
　よって、引用発明は、本願発明の構成Ｄに相当する構成を有する。
（ｅ）　本願発明の構成Ｅについて
　引用発明の構成ｅ、ｆにおける「ＡＴであ」る「スーパードロンボーナス（ＳＤＢ）及びドロンボーナス（ＤＢ）」は、「ＡＴ抽選手段により純ハズレ成立時に行われ」る「ＡＴにするか否かの抽選であるＡＴ抽選」の「当選」が条件となるものであるから、本願発明の構成Ｅにおける「前記役抽選手段によって内部抽選される役ではな」い「疑似ボーナス」に相当する。
　また、引用発明の構成ｅ、ｆにおける、「ＡＴであ」る「スーパードロンボーナス（ＳＤＢ）及びドロンボーナス（ＤＢ）」が、「ＡＴにするか否かの抽選であるＡＴ抽選」で「当選」することは、本願発明の構成Ｅにおける「前記決定手段が該疑似ボーナスに移行させることを決定」することに相当する。
　よって、引用発明と本願発明の構成Ｅとは、「前記有利遊技には疑似ボーナスがあり、該疑似ボーナスは前記役抽選手段によって内部抽選される役ではなく、前記決定手段が該疑似ボーナスに移行させることを決定」する点で一致する。
（ｆ）　本願発明の構成Ｆについて
　本願発明の構成Ｆに関して、「疑似ボーナスの当選フラグを立ち」の記載は、「疑似ボーナスの当選フラグが立ち」の誤記であると認められることから、本願発明の構成Ｆは、「決定手段が疑似ボーナスに移行させることを決定したことを契機に当選フラグが立ち、前記疑似ボーナスの種類に応じて擬似ボーナスの当選フラグが立ち、前記疑似ボーナスの当選フラグが立っている場合に、リーチ目を表示させることが可能である」の記載によって特定される構成であると認定し、以下、検討する。
　引用発明の構成ｅ、ｆにおける「ＡＴ」として「スーパードロンボーナス（ＳＤＢ）及びドロンボーナス（ＤＢ）」があることは、本願発明の構成Ｆにおける「前記疑似ボーナスは、複数の種類があ」ることに相当する。
　よって、引用発明と本願発明の構成Ｆとは、「前記疑似ボーナスは、複数の種類があ」る点で一致する。
（ｇ）　本願発明の構成Ｇについて
　引用発明の構成ｂ及び構成ｇにおける「役の内部抽選を行う抽選手段」により「ビッグボーナス」「に当選」したことは、本願発明の構成Ｇにおける「前記役抽選手段がボーナス役を当選させて、該ボーナス役が内部当選中」であることに相当する。
　また、引用発明の構成ｇにおける「ビッグボーナス」「に当選すると、リーチ目が出現し得る」ことは、本願発明の構成Ｇにおける「該ボーナス役が内部当選中に、」「リーチ目」を「表示させることが可能」であることに相当する。
　そして、引用発明の構成ｇにおける、リーチ目の出現は、構成ｃにおける「ボタンを操作することによって、それぞれのリールが停止するように構成され」た「リール制御を行う手段」によって実現されるものであるから、引用発明の構成ｃ及び構成ｇにおける「ボタンを操作することによって、それぞれのリールが停止するように構成され」た「リール制御を行う手段」により「リーチ目が出現し得る」ことは、本願発明の構成Ｇにおける「前記図柄表示制御手段が複数の回胴を停止させて表示させることが可能な」「リーチ目があ」ることに相当する。
　以上のことから、引用発明と本願発明の構成Ｇとは、「前記役抽選手段がボーナス役を当選させて、該ボーナス役が内部当選中に、前記図柄表示制御手段が複数の回胴を停止させて表示させることが可能な」「リーチ目があ」る点で一致する。
（ｈ）　本願発明の構成Ｈについて
　引用発明の構成ｈ、ｉにおける「リール制御」が「変更」されることは、本願発明の構成Ｈにおける「前記回胴を停止させる為の制御を変更する」ことに相当する。
　そして、引用発明の構成ｈ、ｉにおける「スーパードロンボーナス（ＳＤＢ）、又は、ドロンボーナス（ＤＢ）に当選した場合に、」「青７、又は、ドロンボー絵柄が揃えられるようにリール制御を変更」することは、本願発明の構成Ｈにおける「前記図柄表示制御手段は、前記決定手段の決定結果に応じて、前記回胴を停止させる為の制御を変更する」ことに相当する。
　また、引用発明の構成ｈ、ｉにおいて、「リーチ目が停止」することは、リーチ目が表示されることを意味することが当業者にとって明らかであるから、引用発明の構成ｈ、ｉにおける「スーパードロンボーナス（ＳＤＢ）、又は、ドロンボーナス（ＤＢ）に当選した場合に、確定系の演出が出現」し、「役の内部抽選で不当選となった複数種類のハズレの一つである強ハズレの場合に、リーチ目が停止する」ことと、本願発明の構成Ｈにおける「前記有利遊技に移行させることが決定され、前記疑似ボーナスの当選フラグが立っている場合に、役抽選手段が内部抽選で不当選となったとき、複数の回胴を停止させて、複数のリーチ目の中の１つのリーチ目を表示させることが可能なこと」とは、「前記有利遊技に移行させることが決定され」た「場合に、」「役抽選手段が内部抽選で不当選となったとき、複数の回胴を停止させて、」「リーチ目を表示させることが可能」である点で一致する。
　よって、引用発明の構成ｈ、ｉにおける「スーパードロンボーナス（ＳＤＢ）、又は、ドロンボーナス（ＤＢ）に当選した場合に、確定系の演出が出現し」、「リール制御を行う手段は、確定系の演出が出現すると、青７、又は、ドロンボー絵柄が揃えられるようにリール制御を変更し」、「役の内部抽選で不当選となった複数種類のハズレの一つである強ハズレの場合に、リーチ目が停止する」ことと、本願発明の構成Ｈにおける「前記図柄表示制御手段は、前記決定手段の決定結果に応じて、前記回胴を停止させる為の制御を変更すると共に、前記有利遊技に移行させることが決定され、前記疑似ボーナスの当選フラグが立っている場合に、前記役抽選手段が内部抽選で不当選となったとき、複数の回胴を停止させて、複数のリーチ目の中の１つのリーチ目を表示させることが可能なこと」とは、「前記図柄表示制御手段は、前記決定手段の決定結果に応じて、前記回胴を停止させる為の制御を変更すると共に、」「前記有利遊技に移行させることが決定され」た「場合に、」「役抽選手段が内部抽選で不当選となったとき、複数の回胴を停止させて、」「リーチ目を表示させることが可能」である点で一致する。
（ｉ）　本願発明の構成Ｉについて
　引用発明の構成ｈ、ｉにおける「スーパードロンボーナス（ＳＤＢ）、又は、ドロンボーナス（ＤＢ）に当選した場合に、」「青７、又は、ドロンボー絵柄が揃えられるようにリール制御を変更」することは、構成ｃを参酌すると「ボタンを操作することによって、それぞれのリールが停止する」制御である「リール制御」に関して、有利遊技に当選したか否かに応じて「リール制御を変更」することであるから、本願発明の構成Ｉにおける「前記有利遊技の当選の有無、または当選した前記有利遊技の種類に応じて、前記図柄表示制御手段は、リールの図柄停止制御を変更可能なこと」に相当する。
　よって、引用発明は、本願発明の構成Ｉに相当する構成を有する。
（ｊ）　本願発明の構成Ｊについて
　引用発明の構成ｊにおける「パチスロ機「ドロンジョにおまかせ」」は、本願発明の構成Ｊにおける「遊技機」に相当する。
　よって、引用発明は、本願発明の構成Ｊに相当する構成を有する。
　上記（ａ）ないし（ｊ）より、本願発明と、引用発明とは、以下の点で一致する。
＜一致点＞
Ａ　外周面に複数種類の図柄が配置された複数の回胴と、 
Ｂ　遊技毎に役を内部抽選する役抽選手段と、
Ｃ　遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
Ｄ　前記遊技には通常遊技と該通常遊技より有利な有利遊技があり、前記役抽選手段の内部抽選結果に基づいて、該有利遊技に移行させるか否かを決定する決定手段と、
を具備し、
Ｅ’　前記有利遊技には疑似ボーナスがあり、該疑似ボーナスは前記役抽選手段によって内部抽選される役ではなく、前記決定手段が該疑似ボーナスに移行させることを決定し、
Ｆ’　前記疑似ボーナスは、複数の種類があり、
Ｇ’　前記役抽選手段がボーナス役を当選させて、該ボーナス役が内部当選中に、前記図柄表示制御手段が複数の回胴を停止させて表示させることが可能なリーチ目があり、
Ｈ’　前記図柄表示制御手段は、前記決定手段の決定結果に応じて、前記回胴を停止させる為の制御を変更すると共に、前記有利遊技に移行させることが決定された場合に、役抽選手段が内部抽選で不当選となったとき、複数の回胴を停止させて、リーチ目を表示させることが可能であり、
Ｉ　前記有利遊技の当選の有無、または当選した前記有利遊技の種類に応じて、前記図柄表示制御手段は、リールの図柄停止制御を変更可能な
Ｊ　遊技機。
　そして、本願発明と引用発明とは、以下の点で相違する。
＜相違点１＞　（構成Ｅ、Ｆ、Ｈに関して）
　本願発明は、決定手段が疑似ボーナスに移行させることを決定したことを契機に当選フラグが立ち、前記疑似ボーナスの種類に応じて疑似ボーナスの当選フラグが立ち、前記疑似ボーナスの当選フラグが立っている場合に、役抽選手段が内部抽選で不当選となったとき、複数の回胴を停止させて、リーチ目を表示させることが可能であるのに対して、引用発明は、ＡＴにするか否かの抽選であるＡＴ抽選で当選すると、強ハズレの場合に、リーチ目が表示されるが、その場合に当選フラグが立つか否かが不明である点。
＜相違点２＞　（構成Ｇ、Ｈに関して）
　リーチ目に関して、本願発明は、複数のリーチ目があり、前記有利遊技に移行させることが決定される場合に、表示させることが可能であるリーチ目が、複数のリーチ目の中の１つであるのに対して、引用発明は、ＡＴ抽選で当選すると表示されるリーチ目が複数のリーチ目の１つであるか否かが不明である点。
３　検討
（１）　相違点１について
　引用文献１と引用文献２は、いずれも、パチスロ機「ドロンジョにおまかせ」の記事であり、両者は、同一のパチスロ機について記載したものであるから、引用発明における「スーパードロンボーナス（ＳＤＢ）」と引用文献２記載事項１における「ＳＤＢ」、引用発明における「ドロンボーナス（ＤＢ）」と引用文献２記載事項１における「ＤＢ」は、それぞれ、同一の遊技状態である。
　そして、引用文献２には、引用文献２記載事項１として、「ビッグボーナス、ＳＤＢ又はＤＢに当選すると、ボーナスフラグが立てられ、リーチ目が出現し得るようになる点」が記載されており、引用文献２記載事項１における「ＳＤＢ又はＤＢに当選」すると立てられる「ボーナスフラグ」は、本願発明の上記相違点１に係る構成における「疑似ボーナスの当選フラグ」に相当し、引用文献２記載事項１における「ＳＤＢ又はＤＢに当選すると、ボーナスフラグが立てられ」ることは、本願発明の上記相違点１に係る構成における「決定手段が疑似ボーナスに移行させることを決定したことを契機に当選フラグが立」つことに相当し、引用文献２記載事項１における「ボーナスフラグが立てられ、リーチ目が出現し得るようになる」ことは、本願発明の上記相違点１に係る構成における「前記疑似ボーナスの当選フラグが立っている場合に、リーチ目を表示させることが可能である」ことに相当する。
　してみると、上記相違点１に係る構成のうち、「決定手段が疑似ボーナスに移行させることを決定したことを契機に当選フラグが立ち、」「疑似ボーナスの当選フラグが立っている場合に、リーチ目を表示させることが可能である」点は、引用文献２に記載されていると認められる。
　また、例えば、特開２００４−８９３４５号公報の段落【００４６】に「・・・この抽選結果が特別賞に当選する（ステップ３０）と、対応するフラグ（
ビッグボーナス賞、レギュラーボーナス賞で異なるフラグを立てるのが一般的である
複数種類のボーナス（異なる当選フラグに対応したもの
　そして、引用発明は、スーパードロンボーナス（ＳＤＢ）とドロンボーナス（ＤＢ）のように、複数の異なる遊技状態が設定されていることから、引用発明に引用文献２記載事項１を適用するにあたって、上記技術常識を勘案し、スーパードロンボーナス（ＳＤＢ）、又は、ドロンボーナス（ＤＢ）に当選し、ＡＴ抽選においてＡＴに当選した場合において、それらに対して異なるボーナスフラグを立てるとともに、リーチ目が出現し得るように構成し、本願発明の相違点１に係る構成を成すことは、当業者が容易に想到し得ることである。
（２）　相違点２について
　引用文献２には、引用文献２記載事項２として、「ビッグボーナス、ＳＤＢ又はＤＢに当選した場合に出現するリーチ目には複数種類の出目が設定され、ビッグボーナス、ＳＤＢ又はＤＢに当選した場合には、それらのうちの１つのリーチ目が出現する点」が記載されている。
　そして、上記（１）において指摘したように、引用文献１と引用文献２は、いずれも、パチスロ機「ドロンジョにおまかせ」の記事であることから、引用文献２記載事項２における「ＳＤＢ」及び「ＤＢ」は、ＡＴであり、引用文献２記載事項２における「ＳＤＢ又はＤＢに当選」することは、引用発明の「ＡＴ抽選においてＡＴに当選すること」に相当する。
　してみると、引用発明に、引用文献２記載事項２を適用し、引用発明において、ＡＴ抽選で当選すると表示させることが可能なリーチ目として、複数種類の出目を設定し、本願発明の上記相違点２に係る構成を成すことは、当業者であれば容易になし得ることである。
（３）　作用効果について
　本願発明によって奏される効果は、引用発明、引用文献２に記載された事項から、当業者が予測し得る程度のものである。 
４　請求人の主張について
　請求人は、令和３年２月９日提出の意見書において、本願発明は、特に「前記有利遊技には疑似ボーナスがあり、該疑似ボーナスは前記役抽選手段
によって
前記疑似ボーナスは、複数の種類があり、その種類に応じて疑似ボーナスの当選フラグを立ち、
前記役抽選手段がボーナス役を当選させて、該ボーナス役が内部当選中に、前記図柄表示制御手段が複数の回胴を停止させて表示させることが可能な複数のリーチ目があり、
前記図柄表示制御手段は、前記決定手段の決定結果に応じて、前記回胴を停止させる為の制御を変更すると共に、前記有利遊技に移行させることが決定され、前記疑似ボーナスの当選フラグが立っている場合に、前記役抽選手段が内部抽選で不当選となったとき、複数の回胴を停止させて、複数のリーチ目の中の１つのリーチ目を表示させることが可能であり、
前記有利遊技の当選の有無、または当選した前記有利遊技の種類に応じて、前記図柄表示制御手段は、リールの図柄停止制御を変更可能
　そこで、本願発明の「前記疑似ボーナスは、複数の種類があり、その種類に応じて疑似ボーナスの当選フラグが立ち、」の記載によって特定される構成について検討すると、確かに、引用文献１及び引用文献２には、疑似ボーナスの種類に応じて疑似ボーナスの当選フラグを立てることは直接的には記載されていない。しかしながら、上記３（１）において検討したように、パチスロ機の技術常識を参酌すると、フラグは、遊技状態を区別するために立てられるものであるから、有利遊技が複数種類設定された場合に、その種類に応じて疑似ボーナスの当選フラグを立てることは、当業者であれば当然に考え得ることであり、その構成が特定されたことによって、本願発明が格別な効果を奏し得るものとは認められない。
　また、本願発明の「前記有利遊技の当選の有無、または当選した前記有利遊技の種類に応じて、前記図柄表示制御手段は、リールの図柄停止制御を変更可能なこと」の記載によって特定される構成について検討すると、引用発明は、構成ｈ、ｉとして、「スーパードロンボーナス（ＳＤＢ）、又は、ドロンボーナス（ＤＢ）に当選した場合に、確定系の演出が出現し」「、リール制御を行う手段は、確定系の演出が出現すると、青７、又は、ドロンボー絵柄が揃えられるようにリール制御を変更し」「、役の内部抽選で不当選となった複数種類のハズレの一つである強ハズレの場合に、リーチ目が停止する」構成を備えていることから、「２　対比」「（ｉ）　本願発明の構成Ｉについて」において検討したように、引用発明も、本願発明の上記の構成に相当する構成を備えるものであり、本願発明の上記の構成に関する請求人の主張は採用できない。
第５　結び
　以上のことから、本願発明は、引用発明、引用文献２に記載された事項、及び、技術常識に基づいて、当業者が容易に発明をすることができたものであるから、特許法第２９条第２項の規定により特許を受けることができない。
　したがって、本願は拒絶すべきものである。
　よって、結論のとおり審決する。